(57)【特許請求の範囲】
【請求項１】
磁気ギャップを有する磁気回路の上面にフレームを結合し、このフレームの周縁に上記磁気ギャップにはまり込むボイスコイルを中心に結合した振動板からなるスピーカであって、上記ボイスコイルから引き出されたリード線と引き出し線を振動板の表面側で接続し、この接続された引き出し線と上記フレームの周縁に結合されたガスケット上に結合したコネクターとを接続してなるスピーカにおいて、上記引き出し線が射出成形された上記振動板にインサート成形された銅箔であるスピーカ。
【請求項２】
フレームの周縁に結合されたガスケットとコネクターを樹脂成形にて一体化した請求項１記載のスピーカ。
【発明の詳細な説明】
【０００１】
【産業上の利用分野】
本発明は車載用に使用されるスピーカに関するものである。
【０００２】
【従来の技術】
スピーカの取付けは振動板表面側より行うのに対し入力コードと接続するターミナルは振動板の裏面側にあるので、複雑な作業を強いられることになる。車載用分野では複雑な作業環境であり取付け作業の簡素化が強く要求されている。このような要求に応えるために、コードコネクターをターミナルに接続して、コネクター部を振動板の表面側に引き回し、取付け面と同方向となる構成のスピーカが使用されている。
【０００３】
以下に従来のスピーカについて図４により説明する。図４は、従来のスピーカの構成を示す半断面図である。
【０００４】
同図において、１は界磁部を示すものであり、この界磁部１は、上部プレート１ａとマグネット１ｂとセンターポールを有する下部プレート１ｃにより構成され、上部プレート１ａと下部プレート１ｃのセンターポール部の隙間には磁気ギャップ１１が形成されている。
【０００５】
また、２はフレームを示すものであり、５はフレーム２の周縁に磁気ギャップ１１にはまり込むボイスコイル３を中心に結合した振動板であり、この上でボイスコイルリード線３ａと金糸線６とを接続し、金糸線６の終端をターミナル７を介してコードコネクター８と接続して構成していた。
【０００６】
【発明が解決しようとする課題】
しかしながら、図５に示すように、コードコネクター８と外部からの入力コード１２を接続してから、コードコネクター８をスピーカ本体および取付け面と干渉しないようにフォーミングしてからスピーカを取付け面１３に取付ける作業が複雑であった。
【０００７】
又、コードコネクター８をスピーカ本体と取付け面１３にかみ込まないようにするために取付け面の逃げ部隙間１３ａが必要であり、この取付け面の逃げ部隙間１３ａからスピーカ振幅の際、振動板の裏面の音が前面に回り込んで位相干渉を起こし、再生音が劣化するという課題があった。
【０００８】
更に、ターミナル７とコードコネクター８を接続する構成のため部品点数も多く、生産しづらいという課題も併せもつものであった。
【０００９】
本発明は、上記従来の課題を解決するもので、取付け作業の簡素化をし、音の回り込みによる位相干渉を防止し優れた音響再生かつ、部品点数を削減したスピーカを提供することを目的とするものである。
【００１０】
【課題を解決するための手段】
上記課題を解決するために本発明のスピーカは、ボイスコイルから引き出されたリード線と引き出し線を振動板の表面側で接続し、この接続された引き出し線とフレームの周縁に結合されたガスケット上に結合したコネクターと接続するとともに、引き出し線を射出成形された上記振動板にインサート成形した銅箔で形成したものである。
【００１１】
【作用】
以上の構成によって、外部からの入力コードとコネクターの接続をスピーカ取付けと同じ方向で行えるために作業が容易となり、又、取付け面にコードコネクターの逃げ部隙間を設定する必要がないので、音の回り込みによる位相干渉が防止でき、更に、部品点数の削減を図ることができ、引き出し線を振動板にインサート成形した事で取付け作業をより簡素化し、生産性も向上することが可能となるものである。
【００１２】
【実施例】
（改善例）
まず、実施例を説明する前に本願発明に至る改善例について図１により説明する。なお、従来技術と同一の部分は同一符号を付して説明する。
【００１３】
図１は改善例のスピーカの構成を示す半断面図であり、同図において２１はボイスコイルリード線３ａとコネクター２２とをつなぐ引き出し線を示すものである。
【００１４】
本発明によるスピーカは、上部プレート１ａ、マグネット１ｂ、下部プレート１ｃを結合して磁気ギャップ１１を構成した界磁部１にフレーム２を結合し、中央部にボイスコイル３を結合した振動板５の上でボイスコイルリード線３ａと引き出し線２１とを接続し、引き出し線２１の終端をガスケット９上に結合したコネクター２２と接続して構成したものであり、このように構成された本改善例のスピーカについて以下にその動作について説明する。
【００１５】
まず、外部からの入力信号がコネクター２２に印加されコードコネクターのコードと金糸線の両方の役割を果たす引き出し線２１、ボイスコイルリード線３ａを介してボイスコイル３に印加され、フレミングの左手の法則によりスピーカとして駆動する。
【００１６】
以上のように本改善例によるスピーカは、フレーム２の周縁に結合されたガスケット９上に結合したコネクター２２と引き出し線２１、ボイスコイルリード線３ａを介してボイスコイル３と接続する構成により、スピーカの取付けと外部からの入力信号との接続を同方向で行うことができ、又、コードコネクター８が不要になり、取付け面のコードの逃げ部隙間がいらないので音の回り込みによる位相干渉がなくなり優れた音響再生を行うことができる。更に、前述のコードコネクター８とターミナル７を不要とすることによって部品点数を削減し、生産工程の簡素化を実現することができるものである。
【００１７】
（実施例１）
以下、本発明のスピーカの第１の実施例について図２により説明する。
【００１８】
図２は、本発明の第１の実施例の構成を示す半断面図であり、図２において、３１は樹脂射出した成形振動板であり、銅箔３１ａをインサート成形している。インサート成形した銅箔３１ａの両端をボイスコイルリード線３ａとガスケット９上に結合したコネクター２２に接続したものであり、前述の図１に示す第１の実施例の構成と異なるのは、振動板３１を樹脂射出成形品とし、銅箔３１ａをインサート成形し、その両端をボイスコイルリード線３ａとコネクター２２に接続した点であり、上記以外の構成は上述の改善例と同様のため説明を省略する。
【００１９】
上記のように構成された第１の実施例によるスピーカについて以下にその動作を説明する。
【００２０】
まず、外部からの入力信号がコネクター２２に印加されコードコネクターのコードと金糸線の両方の役割を果たす樹脂射出成形振動板３１にインサート成形された銅箔３１ａを介してボイスコイル３に印加され、フレミングの左手の法則によりスピーカとして駆動する。このような構成により、取付けを簡素化したスピーカとすることができる。
【００２１】
（実施例２）
以下、本発明のスピーカの第２の実施例について図３により説明する。
【００２２】
図３は、本発明の第２の実施例によるスピーカの構成を示す半断面図であり、同図において、４１はコネクター部４１ａを一体に設けた、ガスケットであり、前述の図２に示す第２の実施例の構成と異なるのは、ガスケットとコネクターを樹脂成形にて一体化構造としたものであり、上記以外の構成は実施例１と同様のため説明を省略する。
【００２３】
上記のように構成された第２の実施例によるスピーカについて以下にその動作を説明する。
【００２４】
まず、外部からの入力信号がガスケットとコネクターを一体化成形したコネクター部４１ａに印加され、コードコネクターのコードと金糸線の両方の役割を果たす樹脂射出成形振動板３１にインサート成形された銅箔３１ａを介してボイスコイル３に印加され、フレミングの左手の法則によりスピーカとして駆動する。このような構成により、取付けを簡素化したスピーカとすることができる。
【００２５】
なお、第１の実施例でインサート成形した銅箔３１ａを金糸線としてもよい。
【００２６】
【発明の効果】
以上のように本発明によるスピーカは、スピーカの取付けと外部からの入力信号との接続を同方向で行うことができるので、取付け作業の簡素化をすることができる。
【００２７】
又、スピーカの取付け面にコードコネクターの逃げ部隙間を設定する必要がないので、スピーカの裏面からの音が前面へ回り込んで位相干渉することがなくなるので優れた音響再生を行うことができる。更に、コードコネクターが不要となり部品点数の削減を図り生産を容易にすることができる優れたスピーカを実現するものである。
【図面の簡単な説明】
【図１】  発明に至る改善例のスピーカの半断面図
【図２】  本発明の一実施例のスピーカの半断面図
【図３】  同他の実施例の半断面図
【図４】  従来のスピーカの半断面図
【図５】  同取付け状態を示す側面図
【符号の説明】
１  界磁部
２  フレーム
３  ボイスコイル
３ａ  ボイスコイルリード線
５  振動板
９  ガスケット
２２  コネクター
３１  成形振動板
３１ａ  銅箔
４１  ガスケット
４１ａ  コネクター部
【図１】
0003653815.tif 000002
【図２】
0003653815.tif 000003
【図３】
0003653815.tif 000004
【図４】
0003653815.tif 000005
【図５】
0003653815.tif 000006